【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
情報端末機器に所定の情報を入力するためのペン型入力装置であって、
前記情報端末機器において実行されている所定のアプリケーションの前記情報の入力に関する所定機能の設定を行うための機能設定手段と、
当該機能設定手段によって設定された設定内容を記憶するための設定内容記憶手段と、
前記情報端末機器に前記記憶された設定内容を通知するための設定内容通知手段と、を備えることを特徴とするペン型入力装置。
【請求項２】
前記所定のアプリケーションは、描画機能を有するアプリケーションであり、前記所定機能は、描画情報入力時の描画線幅の設定機能であることを特徴とする請求項１記載のペン型入力装置。
【請求項３】
前記所定のアプリケーションは、描画機能を有するアプリケーションであり、前記所定機能は、描画情報入力時の描画線種の設定機能であることを特徴とする請求項１又は請求項２記載のペン型入力装置。
【請求項４】
前記所定のアプリケーションは、描画機能を有するアプリケーションであり、前記所定機能は、描画情報入力時の描画線色の設定機能であることを特徴とする請求項１乃至請求項３のいずれかに記載のペン型入力装置。
【請求項５】
前記設定内容通知手段は、他のペン型入力装置に対しても前記設定内容を通知することが可能となっており、前記設定内容記憶手段は、前記他のペン型入力装置から通知された設定内容を記憶するようになっていることを特徴とする請求項１乃至請求項４のいずれかに記載のペン型入力装置。
【請求項６】
前記情報端末機器側の備える端末機側表示部にペン先で直接触れることで、その接触位置に対応した画像の情報を取得する画像情報取得手段を備え、前記機能設定手段は、前記取得した画像情報に基づいて前記所定機能の設定を行うことが可能であることを特徴とする請求項２乃至請求項６のいずれかに記載のペン型入力装置。
【請求項７】
前記設定内容に関する情報を表示するための設定情報表示手段を備えることを特徴とする請求項１乃至請求項６のいずれかに記載のペン型入力装置。
【請求項８】
前記設定内容通知手段は、前記設定内容の通知を無線通信によって行うことを特徴とする請求項１乃至請求項７のいずれかに記載のペン型入力装置。
【請求項９】
前記機能設定手段は、設定内容を変更するためのスイッチを備え、当該スイッチの設定に基づいて前記設定内容を変更するようになっていることを特徴とする請求項１乃至請求項８のいずれかに記載のペン型入力装置。
【請求項１０】
前記機能設定手段は、設定内容を変更するための所定のセンサを備え、当該センサの検出結果に基づいて前記設定内容を変更するようになっていることを特徴とする請求項１乃至請求項９のいずれかに記載のペン型入力装置。
【請求項１１】
前記所定のセンサは、接触式センサを含むことを特徴とする請求項１０記載のペン型入力装置。
【請求項１２】
前記機能設定手段は、音声を入力するための音声入力部と、入力された音声の内容を解析するための音声解析部と、を備え、当該音声解析部の解析結果に基づいて前記設定内容を変更するようになっていることを特徴とする請求項１乃至請求項１１のいずれかに記載のペン型入力装置。
【請求項１３】
前記ペン先に押下式スイッチを備え、前記情報端末機側表示部に前記ペン先が触れて前記スイッチが押下されたときに、そのペン先に対応する前記画像情報を取得するようになっていることを特徴とする請求項６乃至請求項１２のいずれかに記載のペン型入力装置。
【請求項１４】
前記ペン先に接触式センサを備え、前記情報端末機側表示部に前記ペン先が触れたことを前記接触式センサによって検出したときに、そのペン先に対応する前記画像情報を取得するようになっていることを特徴とする請求項６乃至請求項１２のいずれかに記載のペン型入力装置。
【請求項１５】
前記設定内容記憶手段によって記憶された設定内容を音声で出力する音声出力手段を備えることを特徴とする請求項１乃至請求項１４のいずれかに記載のペン型入力装置。
【請求項１６】
前記設定内容通知手段は、接触端子同士を接触させることでデータの通信を可能とする接触式通信部を備え、他のペン型入力装置に設定内容を通知するときに、前記接触式通信部によって設定内容を通知するようになっていることを特徴とする請求項５乃至請求項１５のいずれかに記載のペン型入力装置。
【請求項１７】
前記設定内容記憶手段は、複数の設定内容を記憶することが可能であり、前記機能設定手段は、前記記憶された複数の設定内容の中から任意のものを選択して設定することが可能となっていることを特徴とする請求項１乃至請求項１６のいずれかに記載のペン型入力装置。
【請求項１８】
前記画像情報取得手段によって複数取得される画像の色情報に対して、それらの色を混合して別の色を生成する描画色混合手段を備えることを特徴とする請求項６乃至請求項１７のいずれかに記載のペン型入力装置。
【請求項１９】
情報端末機器に所定の情報を入力するためのペン型入力装置を制御するためのペン型入力装置制御用プログラムであって、
前記情報端末機器において実行されている所定のアプリケーションの前記情報の入力に関する所定機能の設定を行うための機能設定ステップと、
当該機能設定ステップにおいて設定された設定内容を自装置の備える所定の記憶媒体に記憶するための設定内容記憶ステップと、
前記情報端末機器に前記記憶された設定内容を通知するための設定内容通知ステップと、を備えることを特徴とするペン型入力装置制御用プログラム。
【請求項２０】
請求項１乃至請求項１８のいずれかに記載のペン型入力装置と、情報端末機器と、を備え、
前記ペン型入力装置によって、前記情報端末機器において実行される所定のアプリケーションの情報入力に関する所定機能の設定を行い、その設定内容に基づいて前記アプリケーションに所定の情報を入力することを特徴とする情報入力システム。
【手続補正２】
【補正対象書類名】明細書
【補正対象項目名】００２７
【補正方法】削除
【補正の内容】
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】変更
【補正の内容】
【００３８】
また、本発明に係る請求項２０記載の情報入力システムは、請求項１乃至請求項１８のいずれかに記載のペン型入力装置と、情報端末機器と、を備え、
前記ペン型入力装置によって、前記情報端末機器において実行される所定のアプリケーションの情報入力に関する所定機能の設定を行い、その設定内容に基づいて前記アプリケーションに所定の情報を入力することを特徴としている。
【手続補正１４】
【補正対象書類名】明細書
【補正対象項目名】００７９
【補正方法】変更
【補正の内容】
【００７９】
また、請求項１８記載のペン型入力装置によれば、画像情報取得手段によって取得される複数の色情報に対して、それらの色を混合して別の色を生成することができるようにしたので、ＣＧ（Computer Graphics）などの描画用アプリケーションにおいて役立つ。
また、請求項１９記載のペン型入力装置制御用プログラムは、請求項１乃至請求項１８記載のペン型入力装置を制御するためのプログラムであり、その効果は重複するので記載を省略する。
【手続補正１５】
【補正対象書類名】明細書
【補正対象項目名】００８０
【補正方法】変更
【補正の内容】
【００８０】
また、請求項２０記載の情報入力システムによれば、請求項１乃至請求項１８記載のペン型入力装置を利用したシステムであり、ペン型入力装置側で情報端末機器上で実行されるアプリケーションへの情報入力に関する所定機能の設定を行い、設定内容に基づいてアプリケーションに情報入力を行うもので、その効果は、請求項１乃至請求項１８記載のペン型入力装置と重複するので記載を省略する。